(57)【要約】【課題】回転移送体の回転駆動源の合理的な改造により、装置全体のコンパクト化、簡素化を図りながら選別された貯留硬貨の取り出しを能率良く容易に行う。【解決手段】硬貨供給部Ａから供給された硬貨を回転移送経路途中で種類別に落下選別するための複数の選別孔２を形成してある硬貨選別部と、各選別孔２から落下する硬貨を貯留する複数の種類別貯留部３を有する硬貨貯留部Ｃとが備えられ、硬貨選別部には、移送孔を備えた回転移送体５と、移送孔に入り込んだ硬貨を移送案内する移送案内面に複数の選別孔を形成してある硬貨選別体とが備えられ、硬貨供給部Ａには、複数の硬貨を収納可能な収納空間１１及び硬貨供給口を有する供給ケース１２と、供給ケース１２の開口を覆う回転軸芯Ｙ周りで回転操作自在な蓋体１３とが備えられ、蓋体１３と回転移送体５との間の回転軸芯Ｙ相当部位には回転力伝達機構Ｅが設けられている。【選択図】図２
2016038863.tif 000002
【特許請求の範囲】
【請求項１】
複数種類の硬貨を供給する硬貨供給部と、当該硬貨供給部から供給された硬貨を回転移送経路に沿って移送可能で、かつ、その回転移送経路途中で硬貨を直径の小さなものから種類別に落下選別するための複数の選別孔を形成してある硬貨選別部と、当該硬貨選別部の各選別孔から落下する硬貨を種類別に貯留するための複数の種類別貯留部を有する硬貨貯留部とが備えられ、
前記硬貨選別部には、硬貨が入り込み可能な移送孔を備えた回転移送体と、この回転移送体の移送孔に入り込んだ硬貨を回転移送経路に沿って移送案内する移送案内面に前記複数の選別孔を形成してある硬貨選別体とが備えられている硬貨選別装置であって、
前記硬貨供給部には、複数の硬貨を収納可能な収納空間及び前記硬貨選別部への硬貨供給口を有する供給ケースと、この供給ケースの開口を覆う前記回転移送体の回転軸芯周りで回転操作自在な蓋体とが備えられ、前記蓋体と前記回転移送体との間の回転軸芯相当部位には、前記蓋体の回転力を前記回転移送体に伝達する回転力伝達機構が設けられている硬貨選別装置。
【請求項２】
前記硬貨貯留部の回転軸芯相当部位側には、各種類別収納部での硬貨貯留枚数が設定貯留枚数に到達したとき、それ以降の余剰硬貨を硬貨貯留部内に形成された余剰硬貨貯留部に移行案内する排出路が設けられている請求項１記載の硬貨選別装置。
【請求項３】
前記回転力伝達機構には、前記蓋体の内面の回転軸芯相当部位に設けた出力軸部と、前記回転移送体の回転軸芯相当部位に設けた入力軸部とが備えられ、前記出力軸部と前記入力軸部とが回転軸芯方向から一体回転状態で脱着自在に嵌合接続されている請求項１又は２記載の硬貨選別装置。
【請求項４】
前記蓋体の内面には、当該蓋体の回転操作に伴って前記供給ケース内の硬貨を前記硬貨供給口を含む回転供給経路に沿って押圧移送可能な弾性体が設けられている請求項１〜３のいずれか１項に記載の硬貨選別装置。
【請求項５】
前記硬貨供給部と前記硬貨選別部及び前記硬貨貯留部とが、片手で把持可能な外径で同心円状に組付けられている請求項１〜４のいずれか１項に記載の硬貨選別器。
【発明の詳細な説明】
【技術分野】
【０００１】
本発明は、混合状態にある複数種類の硬貨を種類別に選別して貯留する硬貨選別装置に関する。
詳しくは、複数種類の硬貨を供給する硬貨供給部と、当該硬貨供給部から供給された硬貨を回転移送経路に沿って移送可能で、かつ、その回転移送経路途中で硬貨を直径の小さなものから種類別に落下選別するための複数の選別孔を形成してある硬貨選別部と、当該硬貨選別部の各選別孔から落下する硬貨を種類別に貯留するための複数の種類別貯留部を有する硬貨貯留部とが備えられ、前記硬貨選別部には、硬貨が入り込み可能な移送孔を備えた回転移送体と、この回転移送体の移送孔に入り込んだ硬貨を回転移送経路に沿って移送案内する移送案内面に前記複数の選別孔を形成してある硬貨選別体とが備えられている硬貨選別装置に関する。
【背景技術】
【０００２】
従来の硬貨選別装置では、硬貨供給部が、複数種類の硬貨を収納可能な収納空間と当該収納空間への硬貨投入口及び硬貨選別部への硬貨供給口とを備えた硬貨供給ケースから構成されている。
また、硬貨貯留部の各種類別貯留部の開口部は、硬貨選別体の下面における各選別孔に対応する部位に一体的に接合されているとともに、この各種類別貯留部を接合してある硬貨選別体は、上方に開口するハウジングの開口部に装着されている。
このハウジング内の底壁における回転軸芯相当部位には、硬貨選別体と回転移送体及び硬貨供給ケースとを貫通して上方に突出する回転操作軸が設けられ、この回転操作軸と回転移送体とが一体回転状態に結合され、回転操作軸の突出上端部には操作ハンドルが取付けられている（例えば、特許文献１参照）。
【先行技術文献】
【特許文献】
【０００３】
【特許文献１】特開平３−２６３２８７号公報
【発明の概要】
【発明が解決しようとする課題】
【０００４】
従来の硬貨選別装置では、ハウジング内の底壁における回転軸芯相当部位に設けられた回転操作軸が、硬貨選別体と回転移送体及び硬貨供給ケースとを貫通して上方に突出するため、装置全体が大型化する。
しかも、硬貨貯留部の各種類別貯留部から所望の貯留硬貨を取り出す場合、各種類別貯留部が接合されている硬貨選別体をハウジングの開口部から取り外す必要があるが、この硬貨選別体を取り外すためには、回転操作軸に対して硬貨供給ケース、回転移送体、硬貨選別体を上方側から順番で取り外すか、或いは、硬貨選別体を貫通している回転操作軸を撤去しなければならないため、貯留硬貨の取り出しに多くの手間を要する不都合がある。
【０００５】
また、特許文献１には、ハウジング内の底壁における回転軸芯相当部位に駆動モータを配置し、この駆動モータに連結された回転軸を、回転移送体及び硬貨供給ケースを貫通して硬貨供給ケース内に突出位置させる実施形態も開示されている。
【０００６】
この実施形態の場合では、ハウジング内における各種類別貯留部の下端部よりも下方側部位に駆動モータの配置スペースを確保する必要があるため、その分だけハウジングが大きくなり、装置全体が大型化する要因になっている。
しかも、各種類別貯留部が接合されている硬貨選別体を、ハウジングの開口部から取り外す場合には、上述と同様に、回転軸に対して硬貨供給ケース、回転移送体、硬貨選別体を上方側から順番で取り外すか、或いは、硬貨選別体を貫通している回転軸を撤去する必要があるため、貯留硬貨の取り出しに手間どる不都合がある。
【０００７】
本発明は、上述の実情に鑑みてなされたものであって、その主たる課題は、回転移送体の回転駆動源の合理的な改造により、装置全体のコンパクト化、簡素化を図りながら選別された貯留硬貨の取り出しを能率良く容易に行うことのできる硬貨選別装置を提供する点にある。
【課題を解決するための手段】
【０００８】
本発明による第１の特徴構成は、複数種類の硬貨を供給する硬貨供給部と、当該硬貨供給部から供給された硬貨を回転移送経路に沿って移送可能で、かつ、その回転移送経路途中で硬貨を直径の小さなものから種類別に落下選別するための複数の選別孔を形成してある硬貨選別部と、当該硬貨選別部の各選別孔から落下する硬貨を種類別に貯留するための複数の種類別貯留部を有する硬貨貯留部とが備えられ、
前記硬貨選別部には、硬貨が入り込み可能な移送孔を備えた回転移送体と、この回転移送体の移送孔に入り込んだ硬貨を回転移送経路に沿って移送案内する移送案内面に前記複数の選別孔を形成してある硬貨選別体とが備えられている硬貨選別装置であって、
前記硬貨供給部には、複数の硬貨を収納可能な収納空間及び前記硬貨選別部への硬貨供給口を有する供給ケースと、この供給ケースの開口を覆う前記回転移送体の回転軸芯周りで回転操作自在な蓋体とが備えられ、前記蓋体と前記回転移送体との間の回転軸芯相当部位には、前記蓋体の回転力を前記回転移送体に伝達する回転力伝達機構が設けられている点にある。
【０００９】
上記構成によれば、供給ケースの開口を覆う蓋体を回転移送体の回転軸芯周りで回転操作すると、この蓋体の回転力が回転軸芯相当部位に配置した回転力伝達機構を経由して回転移送体に伝達される。
この回転移送体の回転に伴って当該回転移送体の移送孔内に入り込んだ硬貨が硬貨選別体の移送案内面に沿って移送され、その回転移送経路途中で硬貨が移送案内面に形成されている選別孔によって直径の小さなものから種類別に落下選別され、各選別孔から落下する硬貨は複数の種類別貯留部に種類別に貯留される。
【００１０】
それ故に、回転力伝達機構は、蓋体と回転移送体との間の回転軸芯相当部位に設けられているので、硬貨選別部に対する硬貨貯留部の分離に回転力伝達機構が影響することがなく、しかも、硬貨貯留部側に回転力伝達機構の一部を配置するためのスペースを確保する必要もない。
【００１１】
したがって、蓋体を回転駆動源とする上述の合理的な改造によって回転力伝達機構の小型化、省スペース化を達成することができ、装置全体のコンパクト化を図りながら選別された貯留硬貨の取り出しを能率良く容易に行うことができる。
【００１２】
本発明による第２の特徴構成は、前記硬貨貯留部の回転軸芯相当部位側には、各種類別収納部での硬貨貯留枚数が設定貯留枚数に到達したとき、それ以降の余剰硬貨を硬貨貯留部内に形成された余剰硬貨貯留部に移行案内する排出路が設けられている点にある。
【００１３】
上記構成によれば、硬貨供給部に投入される複数種類の硬貨の中に、種類別貯留部の設定貯留枚数よりも多い枚数の同一種類の硬貨が存在している場合でも、その硬貨が貯留される種類別貯留部が設定貯留枚数に到達した以降においては、満杯状態にある種類別貯留部に対応する硬貨選別部の選別孔から落下してくる硬貨を、硬貨貯留部の回転軸芯相当部位側に設けられた排出路を経由して硬貨貯留部内に形成されている余剰硬貨貯留部に移行案内することができるので、種類別貯留部が満杯になって溢れた余剰硬貨が硬貨選別部に滞留することがない。
【００１４】
したがって、種類別貯留部の設定貯留枚数よりも多い枚数の同一種類の硬貨が混入する状態で投入された場合でも、硬貨選別部での硬貨噛み込みを防止しながら能率良く確実に選別することができる。
しかも、硬貨選別部の回転軸芯相当位置側の下方側に存在する硬貨貯留部内の中央空間を利用して排出路を形成してあるので、余剰硬貨排出構造を備えた硬貨選別装置をコンパクトに構成することができる。
【００１５】
本発明による第３の特徴構成は、前記回転力伝達機構には、前記蓋体の内面の回転軸芯相当部位に設けた出力軸部と、前記回転移送体の回転軸芯相当部位に設けた入力軸部とが備えられ、前記出力軸部と前記入力軸部とが回転軸芯方向から一体回転状態で脱着自在に嵌合接続されている点にある。
【００１６】
上記構成によれば、供給ケースに蓋体を装着したとき、この蓋体の出力軸部が回転移送体の入力軸部に回転軸芯方向から一体回転状態で嵌合接続して、蓋体の回転力を回転移送体に伝達する回転力伝達機構が構成されるから、回転力伝達機構をコンパクトに構成することができるとともに、蓋体の分離した状態での点検等も容易に行うことができる。
【００１７】
本発明による第４の特徴構成は、前記蓋体の内面には、当該蓋体の回転操作に伴って前記供給ケース内の硬貨を前記硬貨供給口を含む回転供給経路に沿って押圧移送可能な弾性体が設けられている点にある。
【００１８】
上記構成によれば、蓋体を回転操作すると、この蓋体の内面に設けられた弾性体により、供給ケース内に投入された複数枚の硬貨が回転供給経路に沿って押圧移送され、その回転供給経路中に存在する硬貨供給口から硬貨選別部に落下供給される。
【００１９】
弾性体の長さを、回転供給経路に一層状態で存在する硬貨でも確実に押圧移送できる長さに設定しながらも、硬貨が積層状態にある場合においては、弾性体が撓み変形しながら積層状態にある硬貨に無理なく押圧移送力を付与することができる。
【００２０】
本発明による第５の特徴構成は、前記硬貨供給部と前記硬貨選別部及び前記硬貨貯留部とが、片手で把持可能な外径で同心円状に組付けられている点にある。
【００２１】
上記構成によれば、硬貨貯留部を一方の手で把持しながら他方の手で硬貨供給部の蓋体を自由に回転操作することができ、便利に取り扱うことができる。
【図面の簡単な説明】
【００２２】
【図１】硬貨選別装置の斜視図
【図２】硬貨選別装置の縦断面図
【図３】硬貨選別装置の分解斜視図
【図４】硬貨供給部の蓋体を装着する前の斜視図
【図５】硬貨供給部の水平断面図
【図６】硬貨供給部の蓋体の縦断面図
【図７】一つの押圧部材が規制解除部材の中央に当接しているときの硬貨選別部の水平断面図
【図８】硬貨選別部の回転移送体と硬貨選別体との分解斜視図
【図９】一つの押圧部材が規制解除部材の終端部に当接しているときの硬貨選別部の水平断面図
【図１０】回転移送体の下面と硬貨選別体の上面を示す展開図
【図１１】硬貨貯留部の上側分割硬貨貯留体の側面図
【図１２】硬貨貯留部の下面側の斜視図
【図１３】硬貨貯留部の硬貨貯留状態を示す要部の縦断面図
【図１４】硬貨貯留部の下側分割硬貨貯留体を分離したときの縦断面図
【発明を実施するための形態】
【００２３】
〔第１実施形態〕
図１〜図３は、混合状態で投入された複数種類の硬貨１を種類別に選別して貯留する硬貨選別装置（硬貨選別器）を示す。この硬貨選別装置には、投入された複数種類の硬貨１を供給する硬貨供給部Ａと、当該硬貨供給部Ａから供給された硬貨１を回転移送経路Ｒ２に沿って移送可能で、かつ、その回転移送経路Ｒ２途中で硬貨１を直径の小さなものから種類別に落下選別するための複数の選別孔２を形成してある硬貨選別部Ｂと、当該硬貨選別部Ｂの各選別孔２から落下する硬貨１を種類別に貯留するための複数の種類別貯留部３を有する硬貨貯留部Ｃとが備えられている。
【００２４】
さらに、硬貨貯留部Ｃの各種類別貯留部３での硬貨貯留枚数が設定貯留枚数に到達したとき、それ以降の余剰硬貨１を所定排出部位の一例である硬貨貯留部Ｃ内の余剰硬貨貯留部８に移行案内する余剰硬貨排出手段Ｄが備えられている。
【００２５】
この硬貨選別装置で取り扱われる硬貨１は、直径が20.0ｍｍの１円硬貨、直径が22.0ｍｍの５円硬貨、直径が23.5ｍｍの１０円硬貨、直径が21.0ｍｍの５０円硬貨、直径が22.6ｍｍの１００円硬貨、直径が26.5ｍｍの５００円硬貨の六種類である。
六種類の硬貨１の落下選別の順番は、１円硬貨→５０円硬貨→５円硬貨→１００円硬貨→１０円硬貨→５００円硬貨となる。
【００２６】
硬貨供給部Ａと硬貨選別部Ｂ及び硬貨貯留部Ｃとは、片手で把持可能な外径（例えば、90ｍｍ〜120ｍｍの範囲）で同心円の円筒状に脱着操作可能な状態で組付けられている。
【００２７】
硬貨選別部Ｂには、一枚の硬貨１のみが入り込み可能な大きさの複数個（当該実施形態では四個）の移送孔４を備えた樹脂製の回転移送体５と、この回転移送体５の移送孔４に入り込んだ硬貨１を回転移送経路Ｒ２に沿って移送案内する移送案内面６に複数の選別孔２を形成してある樹脂製の硬貨選別体７とが備えられている。
【００２８】
硬貨選別体７の移送案内面６に形成される複数の選別孔２は、図２、図８〜図１０に示すように、硬貨供給部Ａから硬貨１が落下供給される硬貨供給領域Ｌを基準にして、回転移送方向の上流側（回転方向後位側）から下流側（回転方向前位側）に沿って直径の小さなものから配置されている。
当該実施形態においては、回転移送方向の下流側に沿って、１円硬貨用の第１選別孔２Ａ→５０円硬貨用の第２選別孔２Ｂ→５円硬貨用の第３選別孔２Ｃ→１００円硬貨用の第４選別孔２Ｄ→１０円硬貨用の第５選別孔２Ｅ→５００円硬貨用の第６選別孔２Ｆの順番で配置されている。
【００２９】
硬貨供給部Ａには、図１〜図６に示すように、複数種類の複数枚の硬貨１を収納可能な収納空間１１を有する上方開口の樹脂製の供給ケース１２と、この供給ケース１２の開口を閉止する樹脂製の蓋体１３とが備えられている。
蓋体１３は、硬貨選別体７の円筒状の外周壁部７Ｂの上端部に対して回転移送体５の回転軸芯Ｙ周りで回転操作自在に外嵌装着されているとともに、供給ケース１２には、収納空間１１内に投入された硬貨１を一枚ずつ硬貨選別部Ｂの硬貨供給領域Ｌへ落下供給するための硬貨供給口１４が形成されている。
【００３０】
蓋体１３には、供給ケース１２の収納空間１１に硬貨１を投入するための硬貨投入口１３Ａと、蓋体１３を回転操作するための平面視略三角形状の回転操作摘み１３Ｂとが形成されている。
この硬貨投入口１３Ａと回転操作摘み１３Ｂとは、平面視において硬貨投入口１３Ａの一部を回転操作摘み１３Ｂで覆う重合配置状態にあり、回転操作摘み１３Ｂの重合部位には、硬貨投入口１３Ａに対して水平方向及び斜め方向からの硬貨１の投入操作を許容する投入操作用凹部１３ｂが形成されている。
【００３１】
そのため、蓋体１３の硬貨投入口１３Ａから供給ケース１２の収納空間１１内に複数種類の硬貨１が投入された状態で、蓋体１３の回転操作摘み１３Ｂを回転操作する際、硬貨選別装置が傾動しても、収納硬貨１が蓋体１３の硬貨投入口１３Ａから外部に飛び出すことを抑制することができる。
【００３２】
蓋体１３と回転移送体５との間の回転軸芯Ｙ相当部位には、蓋体１３の回転操作力を回転移送体５に伝達する回転力伝達機構Ｅが設けられている。
この回転力伝達機構Ｅには、蓋体１３の内面の回転軸芯Ｙ相当部位に一体形成された円筒状の出力軸部１５と、これに対応する回転移送体５の回転軸芯Ｙ相当部位に一体形成された角筒状の入力軸部１６とが備えられている。
出力軸部１５の内周面に形成されたスプライン部と入力軸部１６の六角状外面とが回転軸芯Ｙ方向から一体回転状態で脱着自在に嵌合接続されている。
【００３３】
また、図２に示すように、蓋体１３における出力軸部１５の内部側に一体形成された内側小径筒部１９には第１磁石１７が装着され、回転移送体５の入力軸部１６内には、第１磁石１７との磁力による吸引作用によって、硬貨選別体７の外周壁部７Ｂの上端部に脱着自在に外嵌装着されている蓋体１３の離脱移動を阻止する第２磁石１８（又は鉄等の磁性体）が設けられている。
【００３４】
蓋体１３の内面には、図４〜図６に示すように、蓋体１３の回転操作に伴って供給ケース１２内の硬貨１を硬貨供給口１４を通る回転供給経路Ｒ１に沿って押圧移送可能なゴム板製の弾性体２０が設けられている。
この弾性体２０は、蓋体１３の内面の周方向複数個所（当該実施形態では３箇所であるが、１箇所又は２箇所でもよい。）に配置されている。
【００３５】
各弾性体２０は、蓋体１３に貫通形成された取付け凹部１３ａに外方上方から嵌合する頭部２０ａを備えた略Ｔ字状の断面形状に形成され、蓋体１３の取付け凹部１３ａとこれに外方側から挿入装着された弾性体２０の頭部２０ａとが接着剤等で固着されている。
【００３６】
そして、蓋体１３を回転操作すると、この蓋体１３と一体回転する各弾性体２０の下端側の肉厚の突出押圧部２０ｂにより、供給ケース１２の円盤状の底壁１２Ａの内側面（上面）をもって構成されている供給移送ガイド面２１に沿って硬貨１が押圧移送され、その回転供給経路Ｒ１中に存在する硬貨供給口１４から硬貨１が硬貨選別部Ｂの硬貨供給領域Ｌに落下供給される。
【００３７】
弾性体２０の長さは、それの先端が供給ケース１２の供給移送ガイド面２１に近接又は接触する長さに設定してあり、回転供給経路Ｒ１に一層状態で存在する硬貨１でも確実に押圧移送することができるとともに、硬貨１が積層状態にある場合においては、弾性体２０が撓み変形しながら積層状態にある硬貨１に無理なく押圧移送力を付与することができる。
【００３８】
また、供給ケース１２の円筒状の外周壁部１２Ｂは、硬貨選別体７の外周壁部７Ｂに対して脱着自在に内嵌装着されているとともに、硬貨選別体７の外周壁部７Ｂに対して供給ケース１２の外周壁部１２Ｂを所定装着位置にまで嵌合装着したとき、供給ケース１２と硬貨選別体７とを相対回転不能な状態で係合保持する第１係合手段２２が設けられている。
【００３９】
この第１係合手段２２は、図３に示すように、硬貨選別体７の外周壁部７Ｂの周方向複数箇所（当該実施形態では２箇所）に貫通形成した第１係止穴２２Ａと、各第１係止穴２２Ａに直径方向内方側から係合可能な状態で供給ケース１２の外周壁部１２Ｂに形成された第１係止爪２２Ｂとから構成されている。
【００４０】
供給ケース１２側の第１係止爪２２Ｂの一部（当該実施形態では１箇所の第１係止爪２２Ｂ）は、それの両側に切り込み形成されたスリット２２Ｃによって直径方向での変位代が大きな係止解除用に構成されている。
この第１係止爪２２Ｂを係止解除操作することにより、供給ケース１２を硬貨選別体７から分離することができる。
【００４１】
供給ケース１２の供給移送ガイド面２１には、図２、図３に示すように、蓋体１３の出力軸部１５に外装される中央側円筒カバー部２３と、投入された硬貨１を回転半径方向の外方側の供給移送ガイド面２１に滑降案内するテーパー状の滑降案内体２４とが一体形成されている。
【００４２】
次に、硬貨選別部Ｂについて詳述する。
図２に示すように、回転移送体５の回転軸芯Ｙ相当部位には、硬貨選別体７の円盤状の底壁７Ａの回転軸芯Ｙ相当部位に形成された連結孔３１に相対回転自在に貫通する連結ピン３２が突出状態で固着され、この連結ピン３２の突出ピン部分には、硬貨選別体７の底壁７Ａの下面に当接可能な抜止め部材３３が装着されている。
【００４３】
回転移送体５には、図３、図８に示すように、回転移送方向の複数個所（当該実施形態では４箇所）に、最大径の５００円硬貨の一枚が入り込み可能な大きさの移送孔４が回転半径方向の外方側に開口する状態で形成されている。
【００４４】
各移送孔４の内面における回転移送方向後位側部位（回転移送方向上手側部位）には、硬貨押圧部の一例で、回転半径方向外方側ほど回転移送方向後位側に位置する後退角の硬貨押圧面３４が形成されているとともに、各移送孔４の内面における硬貨押圧面３４に連続する上側部位には、移送孔４内の選別対象の硬貨１に乗り上がった選別対象外の硬貨１を回転移送方向後位側にスムーズに排出案内するための傾斜面３４ａが形成されている。
【００４５】
図８、図９に示すように、硬貨選別体７の底壁７Ａの内側面（上面）をもって構成される移送案内面６には、六種類の硬貨１に選別するための選別孔２が回転移送方向後位側（回転移送方向上手側）から回転移送方向前位側（回転移送方向下手側）にかけて直径の小さなものから順番に貫通形成されているとともに、最小内径である１円硬貨用の第１選別孔２Ａと最大内径である５００円硬貨用の第６選別孔２Ｆとの間には、供給ケース１２の硬貨供給口１４から落下供給される硬貨１を受け止める平滑面状の硬貨供給領域Ｌが形成されている。
【００４６】
硬貨選別体７の外周壁部７Ｂの内周面には、回転移送体５の移送孔４内に入り込んだ状態で回転移送経路Ｒ２に沿って移送される硬貨１の外周側移送位置を当接規制する円環状の外周側規制面３５ａを有する円環突起状の外周位置規制部３５が一体形成されている。
【００４７】
硬貨選別体７の下面には、図２、図３に示すように、当該硬貨選別体７の各選別孔２を通過した硬貨１を対応する各種類別貯留部３に落下案内する筒状落下ガイド３６Ａを一体形成してある樹脂製の選別補助体３６がビス等の固定手段で固着されている。
【００４８】
この選別補助体３６は、円形状の上面壁部３６Ｂの外周縁に、硬貨選別体７の外周壁部７Ｂの下端部に脱着自在に外嵌合する外周壁部３６Ｃが一体形成されているとともに、上面壁部３６Ｂにおける硬貨選別体７の第１選別孔２Ａ〜第６選別孔２Ｆに対応する部位には、第１選別孔２Ａ〜第６選別孔２Ｆで選別された硬貨１を硬貨貯留部Ｃに落下案内するための落下案内孔３６ａを形成する筒状落下ガイド３６Ａが一体形成されている。
【００４９】
選別補助体３６の筒状落下ガイド３６Ａにより、満杯状態にある種類別貯留部３に対応する硬貨選別部Ｂの選別孔２から落下してくる余剰硬貨１が、種類別貯留部３の最上位の貯留硬貨１の上面に当接した際に一時的に飛び跳ねても、筒状落下ガイド３６Ａ内の内部空間を飛び跳ね許容空間とすることができるので、回転移送体５と硬貨選別体７との間での飛び跳ね硬貨１の噛み込みを抑制することができる。
【００５０】
また、硬貨選別体７の外周壁部７Ｂに対して選別補助体３６の外周壁部３６Ｃを所定装着位置にまで嵌合装着したとき、硬貨選別体７と選別補助体３６とを相対回転不能な状態で係合保持する第２係合手段３７が設けられている。
【００５１】
この第２係合手段３７は、図３に示すように、硬貨選別体７の外周壁部７Ｂの周方向複数箇所（当該実施形態では２箇所）に貫通形成されている上述の第１係合手段２２の第１係止穴２２Ａを兼用して構成されている。
そのため、選別補助体３６の外周壁部３６Ｃの周方向複数箇所（当該実施形態では２箇所）には、各第１係止穴２２Ａに直径方向内方側から係合可能な第２係止爪３７Ａが形成されている。
【００５２】
選別補助体３６の側の第２係止爪３７Ａの一部（当該実施形態では１箇所の第２係止爪３７Ａ）は、それの両側に切り込み形成されたスリット３７Ｂによって直径方向での変位代が大きな係止解除用に構成されている。
【００５３】
尚、当該実施形態では、硬貨選別体７と選別補助体３６とを結合するにあたって、ビス等の固定手段による結合と第２係合手段３７による結合とを併用したが、いずれか一方だけで結合してもよい。
【００５４】
硬貨選別部Ｂの回転移送体５には、この回転移送体５の各移送孔４内に入り込んだ状態で回転移送経路Ｒ２に沿って移送される硬貨１を外周位置規制部３５の外周側規制面３５ａ及び硬貨押圧面３４に対して強制的に機械力で当接させる硬貨移送位置規制手段Ｆが設けられているとともに、この硬貨移送位置規制手段Ｆによる位置規制を硬貨選別部Ｂの硬貨供給領域Ｌにおいて解除する規制解除手段Ｇが設けられている。
【００５５】
硬貨移送位置規制手段Ｆには、各移送孔４内の硬貨１に対して回転半径方向内方側から外方側に向かって押圧揺動自在な押圧部材４１と、当該押圧部材４１を回転半径方向外方側に突出付勢する弾性付勢体の一例であるねじりコイルバネ４２とが備えられている。
【００５６】
押圧部材４１は、図７、図９に示すように、回転移送体５の下面（裏面）における各移送孔４の回転半径方向内方側部位に形成された装着凹部４３に、回転移送体５の回転軸芯Ｙと平行な枢支ピン４４の軸芯回りで揺動自在に枢着されている。
【００５７】
この押圧部材４１の先端部が移送孔４内の硬貨１に当接した状態では、図７、図９に示すように、外周位置規制部３５の外周側規制面３５ａと回転移送体５の硬貨押圧面３４とで形成される角部Ｐに向けて硬貨１を押圧するように構成されている。
【００５８】
また、装着凹部４３内の装着突起４５には、ねじりコイルバネ４２のコイル部分が装着され、このねじりコイルバネ４２の一端部は、装着凹部４３に連通形成された係止溝４６に係止保持されているとともに、ねじりコイルバネ４２の他端部は、押圧部材４１に形成された係止溝４１ｂに相対移動可能な状態で係合保持されている。
【００５９】
規制解除手段Ｇには、図７〜図９に示すように、押圧部材４１の基部に一体形成された作動片４７と、当該作動片４７の回転移動軌跡における硬貨供給領域Ｌにおいて当該作動片４７と当接して、押圧部材４１をねじりコイルバネ４２の付勢力に抗して回転軸芯Ｙ側に離間させた位置規制解除位置に退避揺動させる円弧状の規制解除部材４８とが備えられている。
【００６０】
回転移送体５の各移送孔４の内面における回転半径方向の内方側部位には、規制解除部材４８の弧状規制面４８Ａとの当接に伴って位置規制解除位置に退避揺動した押圧部材４１を格納する格納凹部４９が形成されている。
【００６１】
そして、図７、図９に示すように、押圧部材４１が５００円硬貨用の第６選別孔２Ｆの中間位置を通過した時点、換言すれば、５００円の硬貨１が第６選別孔２Ｆに落下選別された時点で、押圧部材４１の作動片４７が規制解除部材４８の弧状規制面４８Ａにおける回転移送方向後位の解除始端側部位（回転移送方向上手側部位）４８ａに当接し、押圧部材４１がねじりコイルバネ４２の付勢力に抗して位置規制解除位置に退避揺動する。
【００６２】
そのため、硬貨選別体７の移送案内面６のうち、１円硬貨用の第１選別孔２Ａと５００円硬貨用の第６選別孔２Ｆとの間の硬貨供給領域Ｌに回動してくる回転移送体５の移送孔４に対して、供給ケース１２の硬貨供給口１４から落下供給される硬貨１が押圧部材４１に邪魔されることなくスムーズに移入する。
【００６３】
また、位置規制解除位置にある押圧部材４１の先端が１円硬貨用の第１選別孔２Ａに到達し、且つ、押圧部材４１の作動片４７が規制解除部材４８の弧状規制面４８Ａにおける回転移送方向前位の解除終端側部位（回転移送方向下手側部位）４８ｂから離脱した時点で、押圧部材４１がねじりコイルバネ４２の付勢力で起立揺動する。
【００６４】
この起立揺動する押圧部材４１の先端側の押圧部４１ａにより、硬貨選別体７の移送案内面６の硬貨供給領域Ｌにおいて、回転移送体５の移送孔４内に移入した硬貨１が、外周位置規制部３５の外周側規制面３５ａと回転移送体５の硬貨押圧面３４とで形成される角部Ｐに向けて押圧される。
【００６５】
そのため、蓋体１３の回転操作時における硬貨選別装置の傾動や振動等に拘われず、回転移送体５の移送孔４内に移入した硬貨１を、硬貨選別体７の選別孔２に確実、スムーズに入り込み可能な設定外周側移送位置に規制することができ、回転移送体５の移送孔４内の硬貨１を確実、スムーズに選別することができる。
【００６６】
回転移送体５と硬貨選別体７との間には、図７〜図９に示すように、回転移送体５の逆回転を防止する逆回転防止手段Ｈが設けられている。
この逆回転防止手段Ｈは、回転移送体５の下面（裏面）に、回転半径方向に移動自在な係止ピン５１と、当該係止ピン５１を回転中心側に移動付勢するコイルスプリング５２とを装備するとともに、硬貨選別体７の移送案内面６の回転軸芯Ｙ相当部位には、回転移送体５の逆回転時に係止ピン５１と係合してそれ以上の逆回転を阻止する複数の係止段部５３ａと、回転移送体５の正回転時に各係止段部５３ａを乗り越え移動させる状態で係止ピン５１の先端を摺動案内する摺動ガイド面５３ｂとを有する逆回転係合部５３を一体形成して構成されている。
【００６７】
次に、硬貨貯留部Ｃについて詳述する。
硬貨貯留部Ｃは、図１〜図３、図１１〜図１４に示すように、各種類別貯留部３における周壁部６０の一部及び硬貨受け面６１を形成する底壁部６２の一部を備えた各分割種類別貯留部３Ａが形成されている下側分割硬貨貯留体Ｃ１と、各種類別貯留部３における周壁部６０の残部及び底壁部６２の残部を備えた各分割種類別貯留部３Ｂが形成されている上側分割硬貨貯留体Ｃ２とを脱着自在に嵌合して構成されている。
【００６８】
この下側分割硬貨貯留体Ｃ１と上側分割硬貨貯留体Ｃ２とは、回転軸芯Ｙ方向から脱着自在に嵌合接続されているとともに、下側分割硬貨貯留体Ｃ１と上側分割硬貨貯留体Ｃ２とを設定嵌合位置で係合保持する第３係合手段５９が係合解除操作自在に設けられている。
この第３係合手段５９は、図３、図１１、図１２、図１４に示すように、下側分割硬貨貯留体Ｃ１の外周壁６４の内周面における周方向複数箇所（当該実施形態では２箇所）に形成された係合凹部５９Ａと、上側分割硬貨貯留体Ｃ２の内周壁６６の外周面で、且つ、設定嵌合位置で係合凹部５９Ａに係合する部位に形成した係合突起５９Ｂとから構成されている。
【００６９】
この係合凹部５９Ａと係合突起５９Ｂとは、下側分割硬貨貯留体Ｃ１と上側分割硬貨貯留体Ｃ２とが回転軸芯Ｙ方向で分離操作されたとき、設定以上の分離操作力で係合解除自在に構成されている。
【００７０】
そして、第３係合手段５９を係合解除操作して下側分割硬貨貯留体Ｃ１と上側分割硬貨貯留体Ｃ２とに分離したとき、上側分割硬貨貯留体Ｃ２の各分割種類別貯留部３Ｂに、各種類別貯留部３で貯留されていた全ての硬貨１が保持される構成になっている。
【００７１】
また、下側分割硬貨貯留体Ｃ１と上側分割硬貨貯留体Ｃ２とを分離したとき、上側分割硬貨貯留体Ｃ２の各分割種類別貯留部３Ｂにおける硬貨貯留部Ｃの直径方向外側部位には、積み重ね状態で受け止め保持されている貯留硬貨１のうち、最下端に位置する硬貨１を直径方向外方側に抜き出し可能な硬貨抜出用開口６３が現出形成されている。
【００７２】
下側分割硬貨貯留体Ｃ１は、上側分割硬貨貯留体Ｃ２の外周側及び底面側を覆う外周壁６４及び底壁６５を備えた有底筒状に構成されている。
下側分割硬貨貯留体Ｃ１の底壁６５の内側面（上面）には、各種類別貯留部３の形成相当位置に設けられる底壁部６２のうち、硬貨受け面６１における回転移送方向の中央側部位を構成する中央底壁部分６２ａが隆起形成されている。
【００７３】
この中央底壁部分６２ａにおける硬貨貯留部Ｃの直径方向外側部位には、周壁部６０の一部で、且つ、分離時に硬貨抜出用開口６３を形成する高さの低い下部外側周壁部分６０ａが一体形成され、さらに、中央底壁部分６２ａにおける硬貨貯留部Ｃの直径方向内方側部位には、同じく周壁部６０の一部で、各種類別貯留部３の中間高さに相当する高さの下部内側周壁部分６０ｂが一体形成されている。
【００７４】
上側分割硬貨貯留体Ｃ２には、下側分割硬貨貯留体Ｃ１に脱着自在に内嵌される内周壁６６と、各種類別貯留部３の硬貨入口３ａを開口形成してある上面壁６７とが一体成形されている。
この内周壁６６における各分割種類別貯留部３Ｂに対応する内周壁部分を無くして、図３、図１２に示すように、各分割種類別貯留部３Ｂに貯留されている硬貨１を硬貨貯留部Ｃの直径方向外方側から手指を差し入れて抜出操作するための開放口６８が形成されている。
【００７５】
上側分割硬貨貯留体Ｃ２の上面壁６７と内周壁６６とに亘って、各種類別貯留部３の周壁部６０の残部で、下側分割硬貨貯留体Ｃ１の下部外側周壁部分６０ａに対応する上部外側周壁部分６０ｃと、下側分割硬貨貯留体Ｃ１の下部内側周壁部分６０ｂに対応する上部内側周壁部分６０ｄ、及び、回転移送方向の両側に位置する横側周壁部分６０ｅとが一体形成されている。
【００７６】
さらに、各分割種類別貯留部３Ｂの両横側周壁部分６０ｅには、図１１、図１２、図１４に示すように、各種類別貯留部３の形成相当位置に設けられる底壁部６２の残部で、硬貨受け面６１における回転移送方向の両側部位を構成する一対の底壁部分６２ｂとが一体形成されている。
【００７７】
下側分割硬貨貯留体Ｃ１の中央底壁部分６２ａと上側分割硬貨貯留体Ｃ２の両側の底壁部分６２ｂとをもって構成される硬貨受け面６１は、直径方向外方側が高位となる傾斜面に形成されている。
【００７８】
そのため、硬貨選別装置の上側分割硬貨貯留体Ｃ２から下側分割硬貨貯留体Ｃ１を分離操作したとき、上側分割硬貨貯留体Ｃ２の各分割種類別貯留部３Ｂの下部に硬貨抜出用開口６３が現出されるが、各分割種類別貯留部３Ｂ内に貯留されている硬貨１が分離操作時の振動等で外部に飛び出すことはない。
【００７９】
また、図１１、図１２に示すように、上側分割硬貨貯留体Ｃ２の両底壁部分６２ｂ間に形成されている空間６９からの指操作により、各分割種類別貯留部３Ｂ内の最下端に位置する貯留硬貨１を外方に容易に抜き出すことができる。
【００８０】
次に、余剰硬貨排出手段Ｄについて詳述する。
図２、図３、図１３、図１４に示すように、硬貨選別部Ｂの選別補助体３６の各筒状落下ガイド３６Ａとこれに対応する硬貨貯留部Ｃの各種類別貯留部３の硬貨入口３ａとの間には、硬貨貯留部Ｃの各種類別貯留部３での硬貨貯留枚数が設定貯留枚数に到達したとき、それ以降の余剰硬貨１を硬貨選別部Ｂの回転軸芯Ｙ相当位置に向かって排出可能な排出口７１が形成されている。
【００８１】
この排出口７１から排出された余剰硬貨１を硬貨選別部Ｂの回転軸芯Ｙ相当位置側を経由して硬貨貯留部Ｃ内の余剰硬貨貯留部８に移行案内する共通の合流排出路７２が備えられている。
この合流排出路７２は、上側分割硬貨貯留体Ｃ２の上面壁６７の中央部に一体形成された排出筒部７３の内部空間をもって構成されている。
【００８２】
上側分割硬貨貯留体Ｃ２の上面壁６７のうち、各種類別貯留部３の硬貨入口３ａの周縁における少なくとも硬貨貯留部Ｃの直径方向内方側部位には、設定貯留枚数に到達した各種類別貯留部３の最上位の硬貨１の傾斜上面に沿って余剰硬貨１を硬貨選別部Ｂの回転中心相当位置側に滑降案内する滑降案内面７４が形成されている。
【００８３】
余剰硬貨貯留部８は、図３、図１４に示すように、下側分割硬貨貯留体Ｃ１の各分割種類別貯留部３Ｂの下部内側周壁部分６０ｂのうち、１円硬貨用の分割種類別貯留部３Ｂの下部内側周壁部分６０ｂと５００円硬貨用の分割種類別貯留部３Ｂの下部内側周壁部分６０ｂとに亘って、余剰硬貨貯留部８を区画形成する仕切り壁７６を一体形成して構成されている。
【００８４】
そして、硬貨供給部Ａに投入される複数種類の硬貨１の中に、種類別貯留部３の設定貯留枚数よりも多い枚数の同一種類の硬貨１が存在している場合でも、その硬貨１が貯留される種類別貯留部３が設定貯留枚数に到達した以降においては、満杯状態にある種類別貯留部３に対応する硬貨選別部Ｂの選別孔２から落下してくる硬貨１を、硬貨貯留部Ｃ内に形成した余剰硬貨貯留部８に移行案内することができるから、種類別貯留部３が満杯になって溢れた余剰硬貨１が硬貨選別部Ｂに滞留することがない。
【００８５】
しかも、余剰硬貨１は、硬貨選別部Ｂの選別孔２とこれに対応する硬貨貯留部Ｃの各種類別貯留部３との間の排出口７１から硬貨選別部Ｂの回転軸芯Ｙ相当位置側に向かって排出され、且つ、回転軸芯Ｙ相当部位側に形成されている共通の合流排出路７２を経由して余剰硬貨貯留部８に移行案内される。
そのため、硬貨選別部Ｂの回転軸芯Ｙ相当部の下方側に存在する空間を利用して、余剰硬貨排出手段Ｄを備えた硬貨選別装置をコンパクトに構成することができる。
【００８６】
さらに、各種類別貯留部３の硬貨受け面６１に積層状態で貯留される硬貨１の上面は、硬貨受け面６１と平行な傾斜面になるから、設定貯留枚数に到達した各種類別貯留部３の最上位の貯留硬貨１の上面に余剰硬貨１が落下すると、この余剰硬貨１は最上位の貯留硬貨１の上面に沿って合流排出路７２の入口に滑降案内される。
【００８７】
また、上側分割硬貨貯留体Ｃ２の上面壁６７のうち、各種類別貯留部３の入口周縁における硬貨選別部Ｂの回転半径方向内方側部位には、満杯状態で最上位に位置する貯留硬貨１の傾斜上面に沿う滑降案内面７４が形成されているので、最上位の貯留硬貨１の上面をもって構成される硬貨滑降ガイド面との協働により、余剰硬貨１を合流排出路７２の入口に向かって確実、スムーズに滑降排出することができる。
【００８８】
それ故に、種類別貯留部３の設定貯留枚数よりも多い枚数の同一種類の硬貨１が投入されている場合でも、硬貨選別部Ｂでの硬貨１の噛み込みを防止しながら能率良く確実に選別処理することができる。
【００８９】
〔その他の実施形態〕
（１）上述の第１実施形態では、１円硬貨から５００円硬貨までの六種類の硬貨１の選別を行う硬貨選別装置について説明したが、１０円以上の４種類の硬貨１を選別対象にする硬貨選別装置の場合では、５０円硬貨→１００円硬貨→１０円硬貨→５００円硬貨となる順番で落下選別するように構成する。
この場合、上述の第１実施形態で説明した硬貨選別装置を用いる場合には、選別対象外である１円硬貨用の第１選別孔２Ａと５円硬貨用の第３選別孔２Ｃを蓋部材等で閉止するとよい。
勿論、１０円以上の４種類の硬貨１を選別対象にする専用の硬貨選別装置を用いてもよい。
要するに、選別対象の硬貨１の種類、貯留枚数は任意に設定することができる。
【００９０】
（２）上述の第１実施形態では、下側分割硬貨貯留体Ｃ１と上側分割硬貨貯留体Ｃ２とに分離したとき、上側分割硬貨貯留体Ｃ２の各分割種類別貯留部３Ｂに、各種類別貯留部３で貯留されていた全ての硬貨１を保持させるように構成にしたが、これとは逆に、分離された下側分割硬貨貯留体Ｃ１の各分割種類別貯留部３Ａに、各種類別貯留部３で貯留されていた全ての硬貨１が保持されるように構成してもよい。
【００９１】
（３）上述の第１実施形態では、硬貨移送位置規制手段Ｆの押圧部材４１を揺動式に構成したが、スライド移動式に構成してもよい。
要するに、硬貨移送位置規制手段Ｆとしては、回転移送経路Ｒ２に沿って移送される硬貨１の外周側移送位置を規制する外周位置規制部３５に対して移送孔４内の硬貨１を当接させることのできるものであれば、如何なる構造のものを採用してもよい。
【００９２】
（４）上述の第１実施形態では、回転移送体５の移送孔４を回転半径方向外方に開口形成し、選別孔２を有する硬貨選別体７に、外周位置規制部３５の円環状の外周側規制面３５ａを形成したが、回転移送体５の移送孔４をクローズタイプに構成してもよい。
この場合、回転移送体５の移送孔４の内周面における回転半径方向の外側部位が外周位置規制部３５の外周側規制面３５ａを構成することになる。
【００９３】
（５）上述の第１実施形態では、供給ケース１２と硬貨選別体７とを係合保持する第１係合手段２２と、硬貨選別体７と選別補助体３６とを係合保持する第２係合手段３７、及び、下側分割硬貨貯留体Ｃ１と上側分割硬貨貯留体Ｃ２とを係合保持する第３係合手段５９とを設けたが、これらの各係合手段２２，３７，５９を螺合接合手段等の他の結合手段で構成してもよい。
【００９４】
（６）上述の第１実施形態では、押圧部材４１の作動片４７の回転移動軌跡における硬貨供給領域Ｌにおいて、当該作動片４７を円弧状の規制解除部材４８に当接させて、押圧部材４１をねじりコイルバネ４２の付勢力に抗して回転軸芯Ｙ側に離間させた位置規制解除位置に退避揺動させるように構成したが、硬貨供給領域Ｌにおいて、ねじりコイルバネ４２の付勢力を解除又は減少させることにより、押圧部材４１による位置規制を実質的に解除するように構成してもよい。
要するに、規制解除手段Ｇとしては、硬貨移送位置規制手段Ｆによる位置規制を硬貨選別部Ｂの硬貨供給領域Ｌにおいて解除することのできる構成であればよい。
【００９５】
（７）上述の第１実施形態では、蓋体１３に形成した硬貨投入口１３Ａから供給ケース１２の収納空間１１に硬貨１を投入するように構成したが、蓋体１３を取り外して供給ケース１２の収納空間１１に硬貨１を一括投入するように構成してもよい。
【００９６】
（８）上述の第１実施形態では、硬貨貯留部Ｃの各種類別貯留部３での硬貨貯留枚数が設定貯留枚数に到達したとき、それ以降の余剰硬貨１を所定排出部位である硬貨貯留部Ｃ内の余剰硬貨貯留部８に移行案内するように構成したが、所定排出部位としては、余剰硬貨１を外部に排出するために硬貨貯留部Ｃに形成した外部に開口する硬貨取出口であってもよい。
【００９７】
（９）上述の第１実施形態における上側分割硬貨貯留体Ｃ２の上部外側周壁部分６０ｃを削除して、各分割種類別貯留部３Ｂ内に貯留されている貯留硬貨１を一括して外方に抜き出すことができるように構成してもよい。
【００９８】
（１０）上述の第１実施形態では、硬貨貯留部Ｃを、下側分割硬貨貯留体Ｃ１と上側分割硬貨貯留体Ｃ２との二分割構造に構成したが、硬貨貯留部Ｃを分割できない一体構造に構成してもよい。
【００９９】
（１１）上述の第１実施形態では、上側分割硬貨貯留体Ｃ２の上面壁６７のうち、各種類別貯留部３の入口周縁における硬貨選別部Ｂの回転半径方向内方側部位に、満杯状態で最上位に位置する貯留硬貨１の傾斜上面に沿う滑降案内面７４を形成したが、この滑降案内面７４を、上側分割硬貨貯留体Ｃ２の上面壁６７における各種類別貯留部３の入口周縁の全域に形成してもよい。
【０１００】
（１２）上述の第１実施形態では、回転力伝達機構Ｅを蓋体１３の出力軸部１５と回転移送体５の入力軸部１６とから構成したが、この構成に限定されるものではなく、回転力伝達機構Ｅとしては蓋体１３の回転操作力を回転移送体５に伝達することのできる構造であればよい。
【符号の説明】
【０１０１】
Ａ    硬貨供給部
Ｂ    硬貨選別部
Ｃ    硬貨貯留部
Ｅ    回転力伝達機構
Ｒ２  回転移送経路
Ｙ    回転軸芯
１    硬貨
２    選別孔
３    種類別貯留部
４    移送孔
５    回転移送体
６    移送案内面
７    硬貨選別体
８    余剰硬貨貯留部
１１  収納空間
１２  供給ケース
１３  蓋体
１４  硬貨供給口
１５  出力軸部
１６  入力軸部
２０  弾性体
７２  排出路（合流排出路）
【図１】
2016038863.tif 000003
【図２】
2016038863.tif 000004
【図３】
2016038863.tif 000005
【図４】
2016038863.tif 000006
【図５】
2016038863.tif 000007
【図６】
2016038863.tif 000008
【図７】
2016038863.tif 000009
【図８】
2016038863.tif 000010
【図９】
2016038863.tif 000011
【図１０】
2016038863.tif 000012
【図１１】
2016038863.tif 000013
【図１２】
2016038863.tif 000014
【図１３】
2016038863.tif 000015
【図１４】
2016038863.tif 000016